(57)【要約】      （修正有）【課題】容易に組み立て可能で、経年劣化した場合のメンテナンス、特に弁体やゴム弁座の交換を極めて容易に行うことができる消火栓用弁を提供する。【解決手段】弁棒２と、弁棒に弁押さえ３を介して連結され、弁棒により弁箱４の弁座４１方向に進退する弁体５と、弁体のゴム弁座側に設けられた弁座押さえ７と、弁座押さえにより弁体に取り付けられたゴム弁座８とを含む消火栓用弁１であって、弁押さえが、弁棒を通す貫入部、貫入部の外側表面に設けられた蓋部、蓋部の下側であって貫入部の外側表面に設けられた少なくとも１つの掛止部を含み、弁体が、弁棒を嵌入するための嵌入穴を形成する壁部内側の上端付近において嵌入穴の中央方向に突き出た少なくとも１つの掛止部を含み、弁押さえの掛止部と弁体の掛止部とが掛かり合うことにより、弁押さえが弁体に掛止される。【選択図】図１
0003229408.tif 000002
【実用新案登録請求の範囲】
【請求項１】
弁棒と、前記弁棒に弁押さえを介して連結され、前記弁棒により弁箱の弁座方向に進退する弁体と、前記弁体のゴム弁座側に設けられた弁座押さえと、前記弁座押さえにより前記弁体に取り付けられたゴム弁座とを含む消火栓用弁であって、
前記弁押さえが、前記弁棒を通す貫入部、前記貫入部の外側表面に設けられた蓋部、前記蓋部の下側であって前記貫入部の外側表面に設けられた少なくとも1つの掛止部を含み、
前記弁体が、弁棒を嵌入するための嵌入穴を形成する壁部内側の上端付近において嵌入穴の中央方向に突き出た少なくとも1つの掛止部を含み、
前記弁押さえの掛止部と前記弁体の掛止部とが掛かり合うことにより、前記弁押さえが前記弁体に掛止されることを特徴とする、消火栓用弁。
【請求項２】
さらに、前記弁押さえと前記弁体とを固定するストッパーを含む、請求項１に記載の消火栓用弁。
【請求項３】
前記弁押さえの蓋部が切り欠き又は孔を有しており、前記弁体の壁部近傍において上下方向に開けられたネジ穴が設けられており、前記ネジ穴にはめられた雄ねじ部品が前記蓋部の切り欠き又は孔と係り合うことにより、弁押さえの弁体に対する回転が止められる、請求項１に記載の消火栓用弁。
【考案の詳細な説明】
【技術分野】
【０００１】
本考案は、消火栓用の弁構造の考案に関する。
【背景技術】
【０００２】
従来の消火栓の弁機構が特許文献１に示されている。前記弁機構は、図９（Ａ）及び（Ｂ）に示すように水の流出口Ｈの設けられた弁箱１０４と、前記弁箱１０４に挿通された弁棒１０２と、前記弁棒１０２の下端に弁押さえ１０３を介して連結され、前記弁棒１０２により弁箱の弁座１０４’方向に進退する弁体１０５と、前記弁体１０５の下側に設けられた弁座押さえ１０７と、前記弁座押さえ１０７により前記弁体１０５に取り付けられたゴム弁座１０６とから構成されている。前記消火栓は、その不使用時においては、図１０（Ａ）に示すように、ゴム弁座１０６が弁箱１０４の弁座１０４’に圧縮された状態に設けられ、水道管よりの水の流入が阻止される。
【０００３】
消火栓を使用する際には、図１０（Ｂ）に示すように、弁棒１０２を回転させて弁体１０５を上方に移動させ、前記弁体１０５と弁座押さえ１０７とにより挟持されたゴム弁座１０６を弁箱１０４の弁座１０４’から離間させることで水を弁箱１０４に流入させ、水の流出口Ｈに連結されたホースに給水する。
【０００４】
従来の弁機構において、例えば、図９（Ｂ）に示すように弁押さえ１０３と弁体１０５とにネジ山を切り、弁押さえ１０３と弁体１０５とをネジ締結させ、図９（Ｂ）及び（Ｃ）に示すように弁押さえ１０３と弁体１０５とを貫通するネジ穴１０３’を開けて当該ネジ穴１０３’に止めねじをねじ込むことにより前記弁押さえ１０３と弁体１０５とが固定される。弁機構の組み立てを行う際には、弁押さえ１０３と弁体１０５とを仮組みし、前記ネジ穴１０３’を開けて止めねじの位置を決定してから、弁体１０５から弁押さえ１０３を取り外し、弁棒１０２を弁体１０５に嵌入して弁押さえ１０３と弁体１０５とを再度ネジ締結し、ネジ穴１０３’に止めねじをねじ込むことにより、弁棒１０２が弁体１０５に保持される。
【先行技術文献】
【特許文献】
【０００５】
【特許文献１】実開平７−４１１４７号公報
【考案の概要】
【考案が解決しようとする課題】
【０００６】
しかしながら、前記のように弁押さえ１０３と弁体１０５とをネジ締結する際には、弁押さえ１０３に開けられたネジ穴１０３’と弁体１０５に開けられたネジ穴１０３’との位置を合わせなければならず、ネジ穴１０３’の位置を合わせつつ弁押さえ１０３と弁体１０５とをネジ締結するには特殊工具の使用、熟練した技術及び調整のための時間が必要となる。また、経年劣化した消火栓のメンテナンス、例えば、弁体１０５を交換しなければならない場合には、前記のような問題に加えて、ネジ穴１０３’にねじ込まれた止めねじを抜き取る手間がかかるという問題も生じる。したがって、このような課題が解決できる弁機構が望まれていた。
【課題を解決するための手段】
【０００７】
本考案者が鋭意検討を重ねた結果、弁機構、特に弁体及び弁押さえを特定の構造にすることにより前記課題が解決できることを見いだし、本考案に至った。
即ち本考案は、
［１］弁棒と、前記弁棒に弁押さえを介して連結され、前記弁棒により弁箱の弁座方向に進退する弁体と、前記弁体のゴム弁座側に設けられた弁座押さえと、前記弁座押さえにより前記弁体に取り付けられたゴム弁座とを含む消火栓用弁であって、
前記弁押さえが、前記弁棒を通す貫入部、前記貫入部の外側表面に設けられた蓋部、前記蓋部の下側であって前記貫入部の外側表面に設けられた少なくとも1つの掛止部を含み、
前記弁体が、弁棒を嵌入するための嵌入穴を形成する壁部内側の上端付近において嵌入穴の中央方向に突き出た少なくとも1つの掛止部を含み、
前記弁押さえの掛止部と前記弁体の掛止部とが掛かり合うことにより、前記弁押さえが前記弁体に掛止されることを特徴とする、消火栓用弁、
［２］さらに、前記弁押さえと前記弁体とを固定するストッパーを含む、［１］に記載の消火栓用弁、並びに
［３］前記弁押さえの蓋部が切り欠き又は孔を有しており、前記弁体の壁部近傍において上下方向に開けられたネジ穴が設けられており、前記ネジ穴にはめられた雄ねじ部品が前記蓋部の切り欠き又は孔と係り合うことにより、弁押さえの弁体に対する回転が止められる、［１］に記載の消火栓用弁、
に関する。
【考案の効果】
【０００８】
本考案が前記のような構成を有することにより、弁機構、特に弁押さえを用いて弁棒を弁体に保持させる際、従来のものと比較してより容易に組み立てることが可能となる。また、経年劣化した消火栓のメンテナンス、特に弁体やゴム弁座の交換を消火栓が設置された現場にて極めて容易に行うことが可能である。
【図面の簡単な説明】
【０００９】
【図１】本考案の消火栓用弁を含む消火栓の断面図である。
【図２】本考案の弁押さえの（Ａ）平面図、（Ｂ）裏面図、（Ｃ）正面図及び（Ｄ）（Ａ）におけるＡ−Ｂ断面図である。
【図３】本考案の弁体の（Ａ）平面図及び（Ｂ）裏面図である。
【図４】本考案の弁体の（Ａ）正面図及び（Ｂ）図３（Ａ）におけるＣ−Ｄ断面図である。
【図５】本考案の弁押さえ及び弁体を組み合わせる方法を示す模式図である。
【図６】本考案の弁押さえ及び弁体を組み合わせる方法を示す模式図である。
【図７】本考案の弁押さえ及び弁体により保持された弁棒を示す模式図である。
【図８】本考案の弁押さえの弁体に対する回転を止めるための一形態を説明する平面斜視図である。
【図９】従来技術の（Ａ）消火栓の断面図、（Ｂ）弁機構の断面図及び（Ｃ）弁機構の平面図である。
【図１０】従来技術の弁機構による弁の開閉状態を示す模式図である。
【考案を実施するための形態】
【００１０】
本考案の好ましい実施形態を図面に基づいて説明する。なお、本考案は、以下の実施の形態に限定されず、本考案の技術的範囲内で種々の変更が可能であることは言うまでもない。また、文中における「上下」、「前後」及び「左右」は、各図面に記載の方向を意味する。
【００１１】
本考案の消火栓用弁の一形態が、図１に示されている。本考案の消火栓用弁１は、弁棒２と、前記弁棒２に弁押さえ３を介して連結され、前記弁棒２により弁箱４の弁座４１方向に進退する弁体５と、前記弁体５のゴム弁座６側に設けられた弁座押さえ７と、前記弁座押さえ７により前記弁体５に取り付けられたゴム弁座６とを含む。以下に、弁押さえ３及び弁体５の構造、弁押さえ３及び弁体５による弁棒２の保持、次いでこれらを含む消火栓用弁の説明を行う。
【００１２】
１．弁押さえ３
本考案の弁押さえ３の一形態が図２に示されている。弁押さえ３は、前記弁棒２を通す貫入部３１、前記貫入部３１の外側表面に設けられた蓋部３２、前記蓋部３２の下側であって前記貫入部３１の外側表面に設けられた少なくとも1つの掛止部３３を含む。
【００１３】
前記貫入部３１は、弁棒２を通す部分である。図２の形態においては、貫入部３１は断面形状が円形の部材であり、その中央に弁棒２を通すための孔３４が開けられている。前記孔３４の形状は、弁棒２を通すことができ、かつ弁棒２の軸方向に対する回転を過度に妨げないことを条件として特に制限されない。図２の形態において孔３４の形態は、円形の平面形状を有している。
【００１４】
前記貫入部３１の外側表面には、蓋部３２が設けられている。図２において蓋部３２は、貫入部３１の外径よりも大きい外周を有する円環状の部材として表されている。なお、図２の形態において、蓋部３２は、貫入部３１の上端に備えられているが、蓋部３２を貫入部３１の上下方向途中に設けても良い。蓋部３２の形状、大きさ及び厚さについては特に制限されず、適宜変更可能である。なお、図２の実施形態においては、後述するように弁押さえ３の弁体５に対する回転を止めるために、弁体５のネジ穴５４にネジ止めされた雄ネジ部品８と係り合うための切り欠き３５が設けられている。
【００１５】
前記蓋部３２の下側であって前記貫入部３１の外側表面に少なくとも１つの掛止部３３が設けられている。図２における掛止部３３は、蓋部３２の下側、具体的には貫入部３１の下端の外側表面から出っ張った凸状の部材として設けられている。掛止部３３の形状及び大きさは、後述するように弁押さえ３を弁体５の嵌入穴５１に入れて掛止部３３と弁体５の掛止部５３とが掛かり合うことができ、かつ弁押さえ３の弁体５に対する回転を過度に妨げないことを条件として、特に制限されない。また、掛止部３３を１以上設けることができるが、弁押さえ３及び弁体５に係る力を均等に分散できるようにするため、掛止部３３を２以上設けることが好ましい（図２においては３つ設けられている）。掛止部３３を２以上設ける際には、各掛止部３３の大きさ、形状及び上下方向における位置を同一にした上で、各掛止部３３の間隔ができるだけ均等となるように配置することにより、弁体５及び弁押さえ３に係る力をより均等に分散できる。
【００１６】
蓋部３２と掛止部３３との上下方向の間隔については、蓋部３２と掛止部３３との間に弁体５の掛止部５３が入り込むことができ、弁押さえ３の弁体５に対する回転が過度に妨げられないことを条件として、特に制限されない。
【００１７】
なお、前記蓋部３２及び掛止部３３は、貫入部３１から独立した部材として接合されても良いし、鋳造等により貫入部３１、蓋部３２及び掛止部３３の全てを一つの部材としてもよい。より耐久性を高めるため、鋳造等により貫入部３１、蓋部３２及び掛止部３３の全てを一つの部材とすることがより好ましい。
【００１８】
弁押さえ３の素材は、従来から消火栓用弁で使用されているいかなるものも使用可能である。しかしながら、本考案においては、特に、ステンレスを使用することがより好ましい。ステンレスを使用することにより、本考案の弁押さえ３の強度、耐久性及び耐食性をより向上させることが可能である。
【００１９】
２．弁体５
本考案の弁体５の一形態が、図３及び４に示されている。本考案の弁体５は、弁棒２を嵌入するための嵌入穴５１を形成する壁部５２内側の上端付近において嵌入穴５１の中央方向に突き出た少なくとも1つの掛止部５３を含む。なお、「上端付近」とは、壁部５２内側の上端が含まれることは勿論、掛止部５３の下面と嵌入穴５１の底面とで形成される空間に、弁棒２の下端及び弁押さえ３の掛止部３３が収容できる程度の位置も含まれる。また、「中央方向」とは、嵌入穴５１を平面方向から見た際の穴の中心方向を意味する。
【００２０】
掛止部５３の形状及び大きさは、後述するように弁押さえ３を弁体５の嵌入穴５１に入れて掛止部３３と弁体５の掛止部５３とが掛かり合うことができ、かつ弁押さえ３の弁体５に対する回転を過度に妨げないことを条件として、特に制限されない。また、掛止部５３を１以上設けることができるが、弁押さえ３及び弁体５に係る力を均等に分散できるようにするため、掛止部５３を２以上設けることがより好ましい（図３及び４の形態においては３つ設けられている）。掛止部５３を２以上設ける際には、各掛止部５３の大きさ、形状及び上下方向における位置を同一にした上で、各掛止部５３の間隔ができるだけ均等となるように配置することにより、弁体５及び弁押さえ３に係る力を均等に分散できる。また、弁体５の掛止部５３の数及び間隔を、弁押さえ３の掛止部３３の数及び間隔と同じにすることがより好ましい。
【００２１】
なお、前記壁部５２及び掛止部５３は、それぞれ独立した部材として接合されても良いし、鋳造等により壁部５２及び掛止部５３を一つの部材としてもよい。より耐久性を高めるため、鋳造等により壁部５２及び掛止部５３を含む弁体５全体を一つの部材とすることがより好ましい。
【００２２】
弁体５の裏面略中央に、雄ねじ部５５が設けられている（図３（Ｂ）及び図４参照）。雄ねじ部５５とナット９とをネジ締結することにより弁体５とナット９との間でゴム弁座６及び弁座押さえ７が挟持される。従来、ナット９を雄ネジ部５５にネジ締結した後、ナット９と雄ネジ部５５とを貫通する共孔が開けられ、当該共孔に割りピン等を差し込むことによりナット９と雄ネジ部５５とを固定していた。しかしながらこのような加工には、熟練した技術及び加工を施す時間が必要である。さらに、消火栓のメンテナンス、例えば、ゴム弁座６を交換する際には、割ピンを引き抜く特殊工具及びゴム弁座６の交換後にナット９の共孔と雄ネジ部５５の共孔の位置を合わせつつナット９を締めるための調整時間が必要である。また、一度引き抜いた割ピンは再利用できないため新たな割ピンを準備しなければならない。これに対して、本考案ではナット９として、特に、緩み止め機構を有するナット、例えば、ハードロック工業株式会社製のステンレス製ハードロックナットを使用することにより、割ピンのような特殊な部品を使用せずに容易に組み立てられるだけでなく、メンテナンス時におけるゴム弁座等の交換も容易に行うことができる。
【００２３】
なお、後述するように雄ネジ部品８を用いて弁押さえ３の回転を止めるために、弁体５の壁部５２近傍において上下方向に開けられたネジ穴５４を設けてもよい。ここで、「壁部５２近傍」とは、壁部５２自体に穴を開けても良いし、図４に示すように壁部５２のすぐ近くにネジ穴５４を設けても良いことを意味する。
【００２４】
弁体５の素材は、従来から消火栓用弁で使用されているいかなるものも使用可能である。しかしながら、本考案においては、特に、ステンレスを使用することがより好ましい。ステンレスを使用することにより、本考案の弁体５の強度、耐久性及び耐食性をより向上させることが可能である。
【００２５】
３．弁押さえ３と弁体５との掛かり合い
図２の弁押さえ３並びに図３及び４の弁体５を用いた場合を例に挙げて、弁押さえ３と弁体５との掛かり合わせ方の一態様を説明する。図５（Ａ）に示すように、弁押さえ３の掛止部３３を下側にし、弁体５の掛止部５３を上側にする。図５（Ｃ）に示すように、弁押さえ３の掛止部３３を、弁体５の掛止部５３の間の空間の位置に合わせて、図５（Ａ）に示すように弁押さえ３を下に下ろす。弁押さえ３の掛止部３３の外径（図２（Ｄ）におけるＬ３）を、弁体５の嵌入穴５１の内径（図４（Ｂ）におけるＬ７）よりもわずかに小さくすることで、容易に弁押さえ３を弁体５の嵌入穴に挿入できる。弁押さえ３の蓋部３２の外径（図２（Ｄ）におけるＬ４）を、弁体５の壁部５２の外径（図４（Ｂ）におけるＬ５）とほぼ同じとすることにより、弁押さえ３が嵌入穴５１内に完全に入り込むことを防止できる。
【００２６】
蓋部３２の下面と壁部５２の上端が接触した状態（図５（Ｂ））で、図６（Ａ）及び（Ｂ）に示すように弁押さえ３を弁体５に対して任意の方向に回転させ、図６（Ｃ）及び（Ｄ）に示すように、弁押さえ３の掛止部３３と弁体５の掛止部５３とを重ねる。ここで、弁押さえ３の掛止部３３の外径（図２（Ｄ）におけるＬ３）を弁体５の嵌入穴５１の内径（図４（Ｂ）におけるＬ７）よりわずかに小さくし、弁押さえ３の貫入部３１の外径（図２（Ｄ）におけるＬ２）を弁体５の掛止部５３の内径（図４（Ｂ）におけるＬ６）よりわずかに小さくすることで、弁押さえ３を弁体５に対してスムーズに回転させることが出来る。掛止部３３と掛止部５３とを重ねることにより、弁押さえ３の掛止部３３の上面と弁体５の掛止部５３の下面とが掛かり合い、弁押さえ３が弁体５から外れにくくできる。一方で、弁押さえ３を弁体５に対して回転させ、掛止部３３と掛止部５３の位置をずらすだけで極めて容易に弁体５から弁押さえ３を取り外せる。
【００２７】
４．弁押さえ３及び弁体５を用いた弁棒２の保持
弁押さえ３及び弁体５を用いて弁棒２を保持する一態様が図７に示されている。図７の弁体５には弁棒２が挿通されており、弁押さえ３により弁体５に接続されている。弁棒２自体の太さは弁押さえ３の貫入部３１の内径（図２（Ｄ）におけるＬ１）よりもわずかに小さい一方で、弁棒２の下端部２１は貫入部３１の内径（図２（Ｄ）におけるＬ１）よりもわずかに大きくかつ弁体５の嵌入穴５１の内径（図４（Ｂ）におけるＬ７）よりも小さい。弁押さえ３と弁体５とは、それぞれの掛止部３３と掛止部５３とが掛かり合い、弁棒２の下端部２１と弁押さえ３の下端とが掛かり合うことにより、弁棒２が弁体５に保持される。
【００２８】
弁押さえ３の弁体５に対する回転を押さえることにより、より確実に弁棒２を保持することが出来るため、弁押さえ３と弁体５とを固定するストッパーを備えることがより好ましい。このようなストッパーの例として、例えば、従来技術のように弁押さえ３と弁体５とを貫通するネジ穴を開けて止めねじによりねじ止めすることや、弁押さえ３と弁体５とをピンチを用いて挟み込むことなどが挙げられる。
【００２９】
また、弁押さえ３の弁体５に対する回転を止めるため、弁押さえ３の蓋部３２が切り欠き又は孔を有しており、弁体５の壁部近傍において上下方向に開けられたネジ穴が設けられており、前記ネジ穴にはめられた雄ねじ部品を前記蓋部３２の切り欠き又は孔と係り合わせてもよい。図８は、図２に示す切り欠き３５を有する弁押さえ３と、図３及び４に示すネジ穴５４を含む弁体５とを、雄ネジ部品８（図８においては六角穴付ボルト）により係り合わせる一形態を示している。図８において、弁押さえ３が弁体５の嵌入穴５１に嵌入された後、弁押さえ３を弁体５に対して回転させ、掛止部３３と掛止部５３とが掛かり合う位置まで回転されている。掛止部３３と掛止部５３とが掛かり合い、かつ切り欠き３５とネジ穴５４とが合う位置まで回転させた後、ネジ穴５４に雄ネジ部品８をはめ込む。このような形態とすることにより、弁押さえ３の弁体５に対する回転を容易に止めることが出来る。また、消火栓を設置された現場等においても、雄ネジ部品８を取り外すことにより容易に弁体５を取り外すことが出来るため、工場等に持ち帰ることなく現場にて弁構造のメンテナンスを極めて容易に行うことができる。
【００３０】
５．本考案の弁構造を含む消火栓
水の流出口Ｈの設けられた弁箱４と、前記弁箱４に挿通された弁棒２と、前記弁棒２の下端に弁押さえ３を介して連結され、前記弁棒２により弁箱４の弁座４１側に進退する弁体５と、前記弁体５の下側に設けられた弁座押さえ７と、前記弁座押さえ７により前記弁体５に取り付けられたゴム弁座６とから構成されている。前記消火栓は、その不使用時においては、ゴム弁座６が弁箱４の弁座４１に圧縮された状態に設けられ、水道管よりの水の流入が阻止される。消火栓を使用する際には、従来の消火栓と同じように、弁棒２を回転させて弁体５を上方に移動させ、前記弁体５と弁座押さえ７とにより挟持されたゴム弁座６を弁箱４の弁座４１から離間させることで水を弁箱４に流入させ、水の流出口Ｈに連結されたホースに給水する。
【産業上の利用可能性】
【００３１】
本考案の消火栓弁により、より省工程で製造可能であり、現場におけるメンテナンスが極めて容易な消火栓弁が提供される。
【符号の説明】
【００３２】
1：消火栓用弁    
2：弁棒 
3：弁押さえ、31：貫入部、32   ：蓋部、33：掛止部、34：孔、35：切り欠き
4：弁箱 、41：弁座
5：弁体 、51：嵌入穴、52：壁部、53：掛止部、54：ネジ穴、55：雄ねじ部
6：ゴム弁座        
7：弁座押さえ    
8：雄ネジ部品    
9：ナット           
【図１】
0003229408.tif 000003
【図２】
0003229408.tif 000004
【図３】
0003229408.tif 000005
【図４】
0003229408.tif 000006
【図５】
0003229408.tif 000007
【図６】
0003229408.tif 000008
【図７】
0003229408.tif 000009
【図８】
0003229408.tif 000010
【図９】
0003229408.tif 000011
【図１０】
0003229408.tif 000012